(57)【特許請求の範囲】
【請求項１】
種々の情報を表示する表示部と、複数の操作ボタンを有すると共に当該操作ボタンを照光表示する照光部を有する操作部と、端末自体の向きを検出する向き検出部と、端末の動作を制御する制御部と、を備え、
前記制御部は、前記向き検出部にて検出した端末の向きに対応して当該端末の向き毎に予め設定された表示状態となるよう前記表示部に表示する情報の表示状態を制御する表示制御部と、前記照光部の動作を制御して前記操作ボタンの照光状態を制御する照光制御部と、を備え、
前記照光制御部は、前記操作ボタンの照光状態が前記表示制御部による前記表示部の表示状態に対応して予め設定された点滅状態を含む状態となるよう前記照光部の動作を制御する、
情報処理端末。
【請求項２】
請求項１に記載の情報処理端末であって、
前記表示制御部は、前記向き検出部にて端末の向きが予め設定された縦方向であると検出したときに前記表示部の表示状態を予め設定された縦表示状態となるよう制御するとともに、前記向き検出部にて端末の向きが前記縦方向から９０度回転した向きであることを検出したときに前記表示部の表示状態を前記縦表示状態から９０度回転させた表示状態である横表示状態となるよう制御し、
前記照光制御部は、前記表示部の表示状態が前記縦表示状態であるときの前記操作ボタンの照光状態と、前記表示部の表示状態が前記横表示状態であるときの前記操作ボタンの照光状態とが、それぞれ異なるよう前記照光部の動作を制御する、
情報処理端末。
【請求項３】
請求項２に記載の情報処理端末であって、
前記表示制御部は、前記向き検出部にて端末の向きが前記縦方向から一方の方向に９０度回転した向きであることを検出したときに前記表示部の表示状態を前記縦表示状態から前記一方の方向とは反対方向に９０度回転させた表示状態である第一横表示状態となるよう制御し、前記向き検出部にて端末の向きが前記縦方向から前記一方の方向とは反対方向に９０度回転した向きであることを検出したときに前記表示部の表示状態を前記縦表示状態から前記一方の方向に９０度回転させた表示状態である第二横表示状態となるよう制御し、
前記照光制御部は、前記表示部の表示状態が前記縦表示状態であるときの前記操作ボタンの照光状態と、前記表示部の表示状態が前記第一横表示状態であるときの前記操作ボタンの照光状態と、前記表示部の表示状態が前記第二横表示状態であるときの前記操作ボタンの照光状態と、がそれぞれ異なるよう前記照光部の動作を制御する、
情報処理端末。
【請求項４】
請求項１乃至３のいずれか一項に記載の情報処理端末であって、
前記表示部の各表示状態に対応した前記操作ボタンの照光状態を設定する照光状態設定部を備えると共に、
前記照光制御部は、前記操作ボタンの照光状態が、前記表示制御部にて制御された前記表示部の表示状態に対応して前記照光状態設定部にて設定された状態となるよう前記照光部の動作を制御する、
情報処理端末。
【請求項５】
請求項１乃至４のいずれか一項に記載の情報処理端末であって、
前記照光制御部にて照光状態が制御される前記操作ボタンは、前記表示部の表示面とほぼ同一方向を向く面に配置されている、
情報処理端末。
【請求項６】
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末の前記制御部に、
前記向き検出部にて検出した端末の向きに対応して当該端末の向き毎に予め設定された表示状態となるよう前記表示部に表示する情報の表示状態を制御する表示制御部と、前記照光部の動作を制御して前記操作ボタンの照光状態を制御すると共に当該操作ボタンの照光状態が前記表示制御部による前記表示部の表示状態に対応して予め設定された点滅状態を含む状態となるよう前記照光部の動作を制御する照光制御部と、
を実現させるためのプログラム。
【請求項７】
請求項６に記載のプログラムであって、
前記表示制御部は、前記向き検出部にて端末の向きが予め設定された縦方向であると検出したときに前記表示部の表示状態を予め設定された縦表示状態となるよう制御するとともに、前記向き検出部にて端末の向きが前記縦方向から９０度回転した向きであることを検出したときに前記表示部の表示状態を前記縦表示状態から９０度回転させた表示状態である横表示状態となるよう制御し、
前記照光制御部は、前記表示部の表示状態が前記縦表示状態であるときの前記操作ボタンの照光状態と、前記表示部の表示状態が前記横表示状態であるときの前記操作ボタンの照光状態とが、それぞれ異なるよう前記照光部の動作を制御する、
プログラム。
【請求項８】
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末にて、
前記向き検出部にて検出した端末の向きに対応して当該端末の向き毎に予め設定された表示状態となるよう前記表示部に表示する情報の表示状態を制御すると共に、前記照光部の動作を制御して前記操作ボタンの照光状態を制御し、
前記操作ボタンの照光状態を制御するときに、当該操作ボタンの照光状態が、検出された端末の向きに対応して制御された前記表示部の表示状態に対応して予め設定された点滅状態を含む状態となるよう前記照光部の動作を制御する、
端末制御方法。
【請求項９】
請求項８に記載の端末制御方法であって、
前記表示部の表示状態を制御するときに、前記向き検出部にて端末の向きが予め設定された縦方向であると検出したときに前記表示部の表示状態を予め設定された縦表示状態となるよう制御するとともに、前記向き検出部にて端末の向きが前記縦方向から９０度回転した向きであることを検出したときに前記表示部の表示状態を前記縦表示状態から９０度回転させた表示状態である横表示状態となるよう制御し、
前記操作ボタンの照光状態を制御するときに、前記表示部の表示状態が前記縦表示状態であるときの前記操作ボタンの照光状態と、前記表示部の表示状態が前記横表示状態であるときの前記操作ボタンの照光状態とが、それぞれ異なるよう前記照光部の動作を制御する、
端末制御方法。
【発明の詳細な説明】
【技術分野】
【０００１】
本発明は、情報処理端末にかかり、特に、表示画面の向きを検知可能な情報処理端末に関する。
【背景技術】
【０００２】
近年の携帯電話機といった携帯型情報処理端末の画面表示においては、大画面化に伴い、縦長表示だけでなく、写真画像やＰＣ用Ｗｅｂサイトなどを横長表示に切り替えることが可能となっており、一覧性が向上するコンテンツを取り扱うことが可能となっている。そして、画面表示の縦型表示から横型表示への切り替えは、キー操作や表示画面（ＬＣＤ部分）そのものを物理的に動かすことを契機に行っている。具体的に、表示画面を物理的に動かすことを契機に切り替える場合には、加速度センサ等を利用して端末の向きといった状態変化を検出し、当該検出された端末の向きに応じて自動的に画面表示を制御することが行われている。なお、関連する技術として、例えば、特許文献１では、携帯端末機の表示部の向きを検出し、その向きに応じて表示部の駆動を制御し、電力消費をユーザの使用状況に合わせて制御することが行われている。
【先行技術文献】
【特許文献】
【０００３】
【特許文献１】特開２００６−１６３２９４号公報
【発明の概要】
【発明が解決しようとする課題】
【０００４】
一方で、端末の状態変化に応じて画面表示が自動的に切り替えられてしまうと、ユーザによる画面表示状態の判別が困難な場合が生じる。特に、画面表示の状態（縦型表示か横型表示か）に応じて、端末にて使用できる機能や表示される画面が限定される場合もあるため、画面表示状態を容易かつ迅速にユーザが把握する必要がある。
【０００５】
このため、本発明の目的は、上述した課題である情報処理端末において「画面表示の状態の判別が困難である」、ことを解決することにある。
【課題を解決するための手段】
【０００６】
かかる目的を達成するため本発明の一形態である情報処理端末は、
種々の情報を表示する表示部と、複数の操作ボタンを有すると共に当該操作ボタンを照光表示する照光部を有する操作部と、端末自体の向きを検出する向き検出部と、端末の動作を制御する制御部と、を備える。
そして、上記制御部は、上記向き検出部にて検出した端末の向きに対応して当該端末の向き毎に予め設定された表示状態となるよう上記表示部に表示する情報の表示状態を制御する表示制御部と、上記照光部の動作を制御して上記操作ボタンの照光状態を制御する照光制御部と、を備える。
さらに、上記照光制御部は、上記操作ボタンの照光状態が上記表示制御部による上記表示部の表示状態に対応して予め設定された状態となるよう上記照光部の動作を制御する、
という構成を採る。
【０００７】
また、本発明の他の形態であるプログラムは、
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末の上記制御部に、
上記向き検出部にて検出した端末の向きに対応して当該端末の向き毎に予め設定された表示状態となるよう上記表示部に表示する情報の表示状態を制御する表示制御部と、上記照光部の動作を制御して上記操作ボタンの照光状態を制御すると共に当該操作ボタンの照光状態が上記表示制御部による上記表示部の表示状態に対応して予め設定された状態となるよう上記照光部の動作を制御する照光制御部と、
を実現させるためのプログラムである。
【０００８】
また、本発明の他の形態である端末制御方法は、
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末にて、
上記向き検出部にて検出した端末の向きに対応して当該端末の向き毎に予め設定された表示状態となるよう上記表示部に表示する情報の表示状態を制御すると共に、上記照光部の動作を制御して上記操作ボタンの照光状態を制御する。
そして、上記操作ボタンの照光状態を制御するときに、当該操作ボタンの照光状態が、検出された端末の向きに対応して制御された上記表示部の表示状態に対応して予め設定された状態となるよう上記照光部の動作を制御する、
という構成を採る。
【発明の効果】
【０００９】
本発明は、以上のように構成されることにより、ユーザが容易かつ迅速に、情報処理端末の画面表示状態を判別することができる。
【図面の簡単な説明】
【００１０】
【図１】実施形態１における携帯電話機の外観構成を示す図である。
【図２】実施形態１における携帯電話機の構成を示す機能ブロック図である。
【図３】携帯電話機の表示部の表示状態の変化と操作部の照光状態の変化を示す図である。
【図４】実施形態１における携帯電話機の動作を示す図である。
【図５】実施形態２における携帯電話機の構成を示す機能ブロック図である。
【発明を実施するための形態】
【００１１】
＜実施形態１＞
本発明の第１の実施形態を、図１乃至図４を参照して説明する。図１は、携帯電話機の外観構成を示す図であり、図２は、その内部構成を示す機能ブロック図である。図３は、携帯電話機の表示部の表示状態及び操作部の照光状態の変化を示す図である。図４は、携帯電話機の動作を示す図である。
【００１２】
［構成］
図１に示すように、本実施形態における携帯電話機１は、所定の厚みを有する略長方形の２つの筐体が、短辺側でヒンジを介して相互に回動可能に連結された、折り畳み型の携帯電話機である。そして、一方の筐体には、画像や文字など種々の情報を表示する表示部２（ディスプレイ）が装備され、他方の筐体には、テンキーなど複数の操作ボタン３（操作部）が装備されている。具体的に、表示部２と操作ボタン３が装備される各筐体の各面は、筐体を折り畳んだときには相互に対向して内側に位置する面であり、筐体を開いたときにはほぼ同一方向を向く面である。
【００１３】
そして、上記操作ボタン３は、例えば、一部が透明あるいは半透明で形成されており、当該操作ボタン３を内部から照光するＬＥＤ３０（照光部）を備えている（図２参照）。具体的には、各操作ボタン３の筐体内部側つまり操作ボタン３のキーシート下には、明滅する３色のＬＥＤがそれぞれ配置されている。これにより、各操作ボタン３を外部から見たときに当該操作ボタン３の透明あるいは半透明部分がＬＥＤ３０の光によって種々の色で光って見えるよう、照光することができる。なお、操作ボタン３を照光する構成及び方法は、上述したＬＥＤを用いた構成や方法に限定されない。また、ＬＥＤ３による照光動作は後述する制御部１０にて制御される。
【００１４】
また、図２に示すように、携帯電話機１は、筐体内部に携帯電話機１の動作を制御する制御部１０と、種々の情報を記憶する記憶装置であるメモリ４と、携帯電話機１自体の向きを検出するための加速度センサ５（向き検出部）と、を備えている。なお、携帯電話機１自体や制御部１０は、上述した構成や機能の他、携帯電話機１が作動するための種々の機能を備えているが、かかる構成や機能については説明を省略する。
【００１５】
そして、上記制御部１０は、メモリ４に記憶されたプログラムが実行されることによって構築された、表示制御部１１と、照光制御部１２と、照光状態設定部１３と、を備えている。
【００１６】
上記表示制御部１１は、まず、上記加速度センサ５にて検出した携帯電話機１の向きに応じて、表示部２の表示状態を制御する。ここで、上記加速度センサ５は、例えば、３方向の加速度を検出するセンサであり、表示制御部１１は、この加速度センサ５にて検出された３方向それぞれの加速度から、現在の携帯電話機１の向きを判定する。このとき、表示制御部１１は、加速度センサ５の出力値のみから携帯電話機１の向きを判定してもよく、加速度センサ５の出力値と直前の携帯電話機１の向きとを考慮して、現在の向きを判定してもよい。
【００１７】
なお、携帯電話機１が判定する当該携帯電話機１の向きは、本実施形態では、図３（Ａ）に示す縦向き及び図３（Ｂ），（Ｃ）に示す左右横向きの３つの向きと、図示しないが図３（Ａ）の縦向きの逆さの向きと、いった４つの向きである。具体的に、本実施形態では、図３（Ａ）に示すように、携帯電話機１の長手方向が鉛直方向（重力の方向）を向いているときを「縦向き（縦方向）」とする。そして、この「縦向き」を基準として、図３（Ｂ）に示すように左方向（反時計回り方向）に９０度回転して、携帯電話機１の長手方向が水平方向（重力の方向と垂直方向）を向き、表示部２が左側に位置しているときを「左横向き（左横方向）」とする。また、上記「縦向き」を基準として、図３（Ｃ）に示すように右方向（時計回り方向）に９０度回転して、携帯電話機１の長手方向が水平方向（重力の方向と垂直方向）を向き、表示部２が右側に位置しているときを「右横向き（右横方向）」とする。さらに、図示しない「縦向き」とは逆さの向きを、「逆さ向き」とする。
【００１８】
そして、上記表示制御部１１は、携帯電話機１の向きを検出すると、各向きに対応して当該向き毎に予め設定された表示状態となるよう、表示部２の表示状態を制御する。具体的には、図３（Ａ），（Ｂ），（Ｃ）に示すように、携帯電話機１の向きが「縦向き」、「左横向き」、「右横向き」となったときに、表示する情報（画像や文字）の縦方向（上下方向）が、表示部２の鉛直方向（重力の方向）を向くよう、それぞれ表示制御する。さらに詳述すると、図３（Ａ）に示すように、携帯電話機１の向きが「縦向き」であるときには、表示情報（画像や文字）の縦方向（上下方向）が表示部２の長辺方向に沿った「縦表示状態」となるよう表示制御する。また、図３（Ｂ）に示すように、携帯電話機１の向きが「左横向き」であるときには、上記「縦向き」から携帯電話機１が反時計回りに９０度回転した状態であるが、表示情報を表示部２に対して時計回りに９０度回転し、当該表示情報（画像や文字）の縦方向（上下方向）が表示部２の短辺方向に沿った「左横表示状態（第一横表示状態）」となるよう表示制御する。また、図３（Ｃ）に示すように、携帯電話機１の向きが「右横向き」であるときには、上記「縦向き」から携帯電話機１が時計回りに９０度回転した状態であるが、表示情報を表示部２に対して反時計回りに９０度回転し、当該表示情報（画像や文字）の縦方向（上下方向）が表示部２の短辺方向に沿った「右横表示状態（第二横表示状態）」となるよう表示制御する。
【００１９】
そして、上記照光制御部１２は、上述した携帯電話機１の向きに応じて変化された表示部２の表示状態に対応して、それぞれ上述したＬＥＤ３０を制御して操作ボタン３の照光状態を制御する。なお、表示部２の表示状態毎に対応した照光状態を表す照光状態情報が、予めメモリ４に設定されている。例えば、図３（Ａ）に示すように携帯電話機１が「縦向き」であり表示部２の表示状態が「縦表示状態」のときには、当該縦表示状態に対応して設定された照光状態（例えば、白色点灯）に操作ボタン３を照光するよう、ＬＥＤ３０を制御する。また、図３（Ｂ）に示すように携帯電話機１が「左横向き」であり表示部２の表示状態が「左横表示状態」のときには、当該左横表示状態に対応して設定された照光状態（例えば、赤色点滅）に操作ボタン３を照光するよう、ＬＥＤ３０を制御する。また、図３（Ｃ）に示すように携帯電話機１が「右横向き」であり表示部２の表示状態が「右横表示状態」のときには、右横表示状態に対応して設定された照光状態（例えば、青色点滅）に操作ボタン３を照光するよう、ＬＥＤ３０を制御する。このとき、照光状態情報は、操作ボタン３が、表示部２の各表示状態毎に異なる照光状態となるよう設定されている。
【００２０】
なお、上述した各表示状態に対応した照光状態は一例である。そして、各表示状態に対応した照光状態は、ユーザによって任意に設定変更することもできる。具体的には、照光状態設定部１３が、ユーザから入力された、表示部の各表示状態に対応した照光状態を表す照光状態情報をメモリ４に格納する。すると、照光制御部１２は、上述したように、メモリ４から照光状態情報を読み出して、この照光状態情報内から、携帯電話機１の現在における表示部２の表示状態に対応して設定された照光状態を表す情報を特定し、操作ボタン３がかかる照光状態となるよう照光を制御する。
【００２１】
ここで、本実施形態における携帯電話機１は、折り畳み型であることに限定されず、２つの筐体が積層された状態で相対的にスライドするスライド型であってもよく、また、表示部と操作ボタン３が筐体の同一面に形成されたいわゆるストレート型であってもよい。また、本実施形態では、携帯電話機１を情報処理端末の一例として説明するが、本発明の情報処理端末は、携帯電話機に限定されず、端末の向きを変えることができる携帯型のいかなる情報処理端末であってもよい。
【００２２】
［動作］
次に、上述した携帯電話機１の動作を、図４のフローチャート及び図３を参照して説明する。まず、加速度センサ５の出力値から携帯電話機１の向きを検出する（ステップＳ１）。ここでは、加速度センサ５の出力値から、携帯電話機１の向きが図３（Ａ）に示す「縦向き」であると検出したとする（ステップＳ２でＹｅｓ）。すると、表示部２に表示する情報が「縦表示状態」となるよう表示制御すると共に（ステップＳ３）、メモリ４に記憶されている照光状態情報から、「縦表示状態」に対応して設定された照光状態（例えば、白色点灯）を特定し、かかる照光状態で操作ボタン３を照光するようＬＥＤ３０を制御する（ステップＳ４）。
【００２３】
その後、一定の時間間隔毎に加速度センサ５の出力値から携帯電話機１の向きを検出する（ステップＳ１）。そして、携帯電話機１の向きが図３（Ｂ）に示す「左横向き」であることを検出したとする（ステップＳ２でＮｏ、ステップＳ５でＹｅｓ、ステップＳ６で左横向き）。すると、表示部２に表示する情報が「左横表示状態」となるよう表示制御すると共に（ステップＳ７）、メモリ４に記憶されている照光状態情報から「左横表示状態」に対応して設定された照光状態（例えば、赤色点滅）を特定し、かかる照光状態で操作ボタン３を照光するようＬＥＤ３０を制御する（ステップＳ８）。
【００２４】
同様に、携帯電話機１の向きが「縦向き」の状態で、一定の時間間隔毎に加速度センサ５の出力値から携帯電話機１の向きを検出し（ステップＳ１）、携帯電話機１の向きが図３（Ｃ）に示す「右横向き」であることを検出したとする（ステップＳ２でＮｏ、ステップＳ５でＹｅｓ、ステップＳ６で右横向き）。すると、表示部２に表示する情報が「右横表示状態」となるよう表示制御すると共に（ステップＳ９）、メモリ４に記憶されている照光状態情報から「右横表示状態」に対応して設定された照光状態（例えば、青色点滅）を特定し、かかる照光状態で操作ボタン３を照光するようＬＥＤ３０を制御する（ステップＳ１０）。
【００２５】
以上のように、本発明によると、ユーザは、携帯電話機１の向きに対応して自動的に切り替わる表示部２の表示状態を、当該表示状態毎に異なって設定された操作ボタン３の照光状態から、容易に認識することができる。その結果、携帯電話機１の表示状態の切り替えに応じて変化する操作設定をより強く認識することができ、誤操作を抑制して操作性の向上を図ることができる。また、携帯電話機１の表示状態の変化と連動して操作ボタン３の照光状態が変化するため、ユーザは種々のキーイルミネーションを楽しむことができる。
【００２６】
＜実施形態２＞
本発明の第２の実施形態を、図５を参照して説明する。図５は、上述した携帯電話機１を含む情報処理端末の構成を示す機能ブロック図である。なお、本実施形態では、情報処理端末の概略を説明する。
【００２７】
図１に示すように、本実施形態における情報処理端末１００は、
種々の情報を表示する表示部１０２と、複数の操作ボタンを有すると共に当該操作ボタンを照光表示する照光部を有する操作部１０３と、端末自体の向きを検出する向き検出部１０５と、端末の動作を制御する制御部１１０と、を備える。
そして、上記制御部１１０は、上記向き検出部にて検出した端末の向きに対応して当該端末の向き毎に予め設定された表示状態となるよう上記表示部に表示する情報の表示状態を制御する表示制御部１１１と、上記照光部の動作を制御して上記操作ボタンの照光状態を制御する照光制御部１１２と、を備える。
さらに、上記照光制御部１１２は、上記操作ボタンの照光状態が上記表示制御部による上記表示部の表示状態に対応して予め設定された状態となるよう上記照光部の動作を制御する、
という構成を採る。
【００２８】
また、上記情報処理端末では、
上記表示制御部は、上記向き検出部にて端末の向きが予め設定された縦方向であると検出したときに上記表示部の表示状態を予め設定された縦表示状態となるよう制御するとともに、上記向き検出部にて端末の向きが上記縦方向から９０度回転した向きであることを検出したときに上記表示部の表示状態を上記縦表示状態から９０度回転させた表示状態である横表示状態となるよう制御し、
上記照光制御部は、上記表示部の表示状態が上記縦表示状態であるときの上記操作ボタンの照光状態と、上記表示部の表示状態が上記横表示状態であるときの上記操作ボタンの照光状態とが、それぞれ異なるよう上記照光部の動作を制御する、
という構成を採る。
【００２９】
さらに、上記情報処理端末では、
上記表示制御部は、上記向き検出部にて端末の向きが上記縦方向から一方の方向に９０度回転した向きであることを検出したときに上記表示部の表示状態を上記縦表示状態から上記一方の方向とは反対方向に９０度回転させた表示状態である第一横表示状態となるよう制御し、上記向き検出部にて端末の向きが上記縦方向から上記一方の方向とは反対方向に９０度回転した向きであることを検出したときに上記表示部の表示状態を上記縦表示状態から上記一方の方向に９０度回転させた表示状態である第二横表示状態となるよう制御し、
上記照光制御部は、上記表示部の表示状態が上記縦表示状態であるときの上記操作ボタンの照光状態と、上記表示部の表示状態が上記第一横表示状態であるときの上記操作ボタンの照光状態と、上記表示部の表示状態が上記第二横表示状態であるときの上記操作ボタンの照光状態と、がそれぞれ異なるよう上記照光部の動作を制御する、
という構成を採る。
【００３０】
また、上記情報処理端末では、
上記表示部の各表示状態に対応した上記操作ボタンの照光状態を設定する照光状態設定部を備えると共に、
上記照光制御部は、上記操作ボタンの照光状態が、上記表示制御部にて制御された上記表示部の表示状態に対応して上記照光状態設定部にて設定された状態となるよう上記照光部の動作を制御する、
という構成を採る。
【００３１】
また、上記情報処理端末では、
上記照光制御部にて照光状態が制御される上記操作ボタンは、上記表示部の表示面とほぼ同一方向を向く面に配置されている、
という構成を採る。
【００３２】
また、上述した情報処理端末は、当該情報処理端末に、プログラムが組み込まれることで実現できる。具体的に、本発明の他の形態であるプログラムは、
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末の上記制御部に、
上記向き検出部にて検出した端末の向きに対応して当該端末の向き毎に予め設定された表示状態となるよう上記表示部に表示する情報の表示状態を制御する表示制御部と、上記照光部の動作を制御して上記操作ボタンの照光状態を制御すると共に当該操作ボタンの照光状態が上記表示制御部による上記表示部の表示状態に対応して予め設定された状態となるよう上記照光部の動作を制御する照光制御部と、
を実現させるためのプログラムである。
【００３３】
そして、上記プログラムでは、
上記表示制御部は、上記向き検出部にて端末の向きが予め設定された縦方向であると検出したときに上記表示部の表示状態を予め設定された縦表示状態となるよう制御するとともに、上記向き検出部にて端末の向きが上記縦方向から９０度回転した向きであることを検出したときに上記表示部の表示状態を上記縦表示状態から９０度回転させた表示状態である横表示状態となるよう制御し、
上記照光制御部は、上記表示部の表示状態が上記縦表示状態であるときの上記操作ボタンの照光状態と、上記表示部の表示状態が上記横表示状態であるときの上記操作ボタンの照光状態とが、それぞれ異なるよう上記照光部の動作を制御する、
という構成を採る。
【００３４】
また、上述した情報処理端末が作動することにより実行される、本発明の他の形態である端末制御方法は、
種々の情報を表示する表示部と、複数の操作ボタンを有すると共に当該操作ボタンを照光表示する照光部を有する操作部と、端末自体の向きを検出する向き検出部と、端末の動作を制御する制御部と、を備えた情報処理端末にて、
上記向き検出部にて検出した端末の向きに対応して当該端末の向き毎に予め設定された表示状態となるよう上記表示部に表示する情報の表示状態を制御すると共に、上記照光部の動作を制御して上記操作ボタンの照光状態を制御し、
上記操作ボタンの照光状態を制御するときに、当該操作ボタンの照光状態が、検出された端末の向きに対応して制御された上記表示部の表示状態に対応して予め設定された状態となるよう上記照光部の動作を制御する、
という構成を採る。
【００３５】
そして、上記端末制御方法では、
上記表示部の表示状態を制御するときに、上記向き検出部にて端末の向きが予め設定された縦方向であると検出したときに上記表示部の表示状態を予め設定された縦表示状態となるよう制御するとともに、上記向き検出部にて端末の向きが上記縦方向から９０度回転した向きであることを検出したときに上記表示部の表示状態を上記縦表示状態から９０度回転させた表示状態である横表示状態となるよう制御し、
上記操作ボタンの照光状態を制御するときに、上記表示部の表示状態が上記縦表示状態であるときの上記操作ボタンの照光状態と、上記表示部の表示状態が上記横表示状態であるときの上記操作ボタンの照光状態とが、それぞれ異なるよう上記照光部の動作を制御する、
という構成を採る。
【００３６】
上述した構成を有する、プログラム、又は、端末制御方法、の発明であっても、上記情報処理端末と同様の作用を有するために、上述した本発明の目的を達成することができる。
【産業上の利用可能性】
【００３７】
本発明は、携帯電話機などの表示部と操作部とを備えたあらゆる携帯型の情報処理端末に利用することができ、産業上の利用可能性を有する。
【符号の説明】
【００３８】
１      携帯電話機
２      表示部
３      操作ボタン
４      メモリ
５      加速度センサ
１０    制御部
１１    表示制御部
１２    照光制御部
１３    照光状態設定部
３０    ＬＥＤ
１００  情報処理端末
１０２  表示部
１０３  操作部
１０５  向き検出部
１１０  制御部
１１１  表示制御部
１１２  照光制御部
【図１】
0005407732.tif 000002
【図２】
0005407732.tif 000003
【図３】
0005407732.tif 000004
【図４】
0005407732.tif 000005
【図５】
0005407732.tif 000006